(57)【要約】      （修正有）【課題】モニタ画面に表示された内容を見やすく、及び／または、読みやすくすることを可能にするモニタシステムを備えた医療機器を提供する。【解決手段】医療機器は本体とモニタシステムとを備え、モニタシステムは、屈曲したディスプレイ及び／またはユーザーインターフェイス１２を有する表示及び／または作動装置を備えている。医療機器は、好ましくは、体外血液処理用の装置、特に好ましくは、透析装置として構成されており、装置は、体外血液処理のための作動部品を収容する本体を構成するハウジング１を備えている。ディスプレイ及び／またはユーザーインターフェイスは、少なくとも一つの空間軸に対して凹状または凸状に屈曲しており、空間軸は水平方向または鉛直方向に延びる空間軸であることが好ましい。【選択図】図１
2017196403.tif 000002
【特許請求の範囲】
【請求項１】
本体とモニタシステムとを備える医療機器であって、
前記モニタシステムは、均等に屈曲したディスプレイ及び／またはユーザーインターフェイス（１２）を有する表示及び／または作動装置を備えている医療機器。
【請求項２】
前記医療機器は体外血液処理用の装置、特に、透析装置であり、
前記装置は、体外血液処理のための作動部品を収容する前記本体を構成するハウジング（１）を備えていることを特徴とする請求項１に記載の医療機器。
【請求項３】
前記ディスプレイ及び／またはユーザーインターフェイス（１２）は、少なくとも一つの空間軸に対して凹状または凸状に屈曲しており、前記空間軸は水平方向または鉛直方向に延びていることを特徴とする請求項１または２に記載の医療機器。
【請求項４】
前記モニタシステムの前記ディスプレイ及び／またはユーザーインターフェイス（１２）は、相互に分離している複数個の凹状または凸状に屈曲した要素からなるものであることを特徴とする請求項１乃至３の何れか一項に記載の医療機器。
【請求項５】
前記ディスプレイ及び／またはユーザーインターフェイス（１２）は、前記ハウジング（１）の表面に固定され、かつ、前記ハウジング（１）から突出しているモニタシステムの一部であることを特徴とする請求項１乃至４の何れか一項に記載の医療機器。
【請求項６】
前記ディスプレイ及び／またはユーザーインターフェイス（１２）は前記ハウジング（１）の内部に取り付けられていることを特徴とする請求項１乃至５の何れか一項に記載の医療機器。
【請求項７】
各々が少なくとも一つのディスプレイ及び／またはユーザーインターフェイス（１２）を備える複数のモニタシステムを備えており、前記複数のモニタシステムのうちの少なくとも一つのモニタシステムは前記ハウジング（１）と外部接続しているか、または、前記ハウジング（１）の内部に取り付けられていることを特徴とする請求項１乃至５の何れか一項に記載の医療機器。
【請求項８】
前記表示及び／または作動装置はＯＬＥＤまたはＡＭＯＬＥＤに基づいて機能するものであることを特徴とする請求項１乃至７の何れか一項に記載の医療機器。
【請求項９】
前記ディスプレイ及び／またはユーザーインターフェイス（１２）の凹状または凸状の屈曲の度合いは、ユーザーと当該医療機器との間の所定の距離に適合するように設定されていることを特徴とする請求項１乃至８の何れか一項に記載の医療機器。
【発明の詳細な説明】
【技術分野】
【０００１】
本発明はモニタシステムを備える医療機器に関し、特に、透析装置などの体外血液処理用の装置であって、例えば、タッチ式スクリーンからなるモニタシステムを備える装置に関する。
【背景技術】
【０００２】
特に、回転や傾斜させることができない固定式のモニタにおいては、モニタ画面に表示された内容が眩しさのために見にくかったり、読みにくかったりすることがあるという欠点がある。
【発明の概要】
【発明が解決しようとする課題】
【０００３】
従って、本発明の目的は、固定式モニタシステムにおける反射を減らし、眩しくなくするとともに、モニタ画面に表示された内容を見やすく、及び／または、読みやすくすることを可能にするモニタシステムを備えた医療機器を提供することにある。
特に、体外血液処理用の装置、具体的には、透析装置に対しては、このようなモニタシステムが提供されることとなる。
本発明によれば、上記の目的は請求項１に記載された医療機器により達成される。
本発明の更なる発展形は従属項により達成される。
【課題を解決するための手段】
【０００４】
本発明は、医療用の装置、特に、透析装置などの体外血液処理用の装置に対するものであり、屈曲した、あるいは、アーチ状またはカーブ状のモニタシステムを備えるという技術的思想に基づくものである。モニタシステムは、例えば、スクリーンの形状をなしており、見る側（オペレータまたはユーザー）に対して、例えば、凹状をなしている。このスクリーンは、必要であれば、グラフィックユーザーインターフェイスなどを有するディスプレイ及び／またはユーザーインターフェイスの形状をなしている。
モニタ画面の表面にタッチ感応式のフィルムを取り付け、その下方に配置されているディスプレイパネル（例えば、ＴＦＴシステム）と組み合わせることによって、医療に関するパラメータのグラフィック表示や各種パラメータの調整などを行うことが可能になる。
凹状に構成されたモニタシステム（凹状のディスプレイ形状）は明らかに眩しさを減少させる。
タッチ感応式フィルムが取り付けられた凹状のモニタ画面は以下の効果を奏する。第一に、眩しさが減少することにより、データ表示をより明瞭に行うことが可能になる。第二に、ディスプレイの表面の損傷の危険性が減少する。
【０００５】
一実施形態においては、モニタ画面の凹状の度合いはユーザーとモニタ画面との間の典型的な距離に合わせて設定される。
この場合、屈曲しているモニタ画面によって、反射した光はユーザーの目には届かないが、光は全ての方向に拡散する。
さらに、ユーザーの後側に照明がある場合には、ユーザーの体が凹状のモニタ画面上に影をつくることになるので、コントラストを向上させる効果がもたらされる。
このコントラスト効果は、屈曲したモニタ画面とともにＯＬＥＤ技術を用いることにより、さらに向上させることができる。
各々が固定式モニタを有している装置をアレイ状に配置することはさらに効果的である。この場合、光源と相対しているモニタの回転は制限される。モニタを回転させるためには、装置全体を回転させる必要があるからである。
このため、凹状のモニタを備えることにより、モニタに入射する好ましくない光は散乱し、ユーザーを妨害することもなくなるので、モニタは回転機能を備える必要がなくなる。
【０００６】
具体的には、上記の効果及び上記の目的は、本体とモニタシステムとを備える医療機器であって、前記モニタシステムは、屈曲したディスプレイ及びユーザーインターフェイスを有する表示及び／または作動装置を備えているものである医療機器により達成される。
ディスプレイ及びユーザーインターフェイスは均等に、または、連続的に屈曲していることが好ましい。
前記医療機器は体外血液処理用の装置であり、体外血液処理のための機能的要素を収容する前記本体を構成するハウジングを備えていることが好ましい。
当該医療機器は透析装置であることがさらに好ましい。
前記ディスプレイ及び／またはユーザーインターフェイスは、少なくとも一つの空間軸に対して凹状または凸状に屈曲していることが好ましい。
この空間軸は水平方向または鉛直方向に延びている少なくとも一つの空間軸である。
【０００７】
前記モニタシステムの前記ディスプレイ及び／またはユーザーインターフェイスは複数個の凹状または凸状に屈曲した要素からなるものであることが好ましい。
前記ディスプレイ及び／またはユーザーインターフェイスは、前記ハウジングの表面に固定され、かつ、前記ハウジングから突出しているモニタシステムの一部であることが好ましい。
前記表示及び／または作動装置と前記ディスプレイ及び／またはユーザーインターフェイスの各々は前記ハウジングの内部に取り付けられていることが好ましい。
当該医療機器は、各々が少なくとも一つのディスプレイ及び／またはユーザーインターフェイスを備える複数のモニタシステムを備えており、前記複数のモニタシステムのうちの少なくとも一つのモニタシステムは前記ハウジングと外部接続しているか、または、前記ハウジングの内部に取り付けられていることが好ましい。
前記表示及び／または作動装置はＯＬＥＤまたはＡＭＯＬＥＤに基づいて機能するものであることが好ましい。
【０００８】
前記ディスプレイ及び／またはユーザーインターフェイスの凹状または凸状の屈曲の度合いは、ユーザーと当該医療機器との間の所定の距離に適合するように設定されていることが好ましい。
具体的には、この距離は、ユーザーの作動範囲内の距離であり、あるいは、ユーザーの平均的な腕の長さの範囲内の距離である。好ましくは、０．２ｍから１ｍまでの範囲内の距離であり、特に好ましくは、０．３ｍから０．７ｍまでの範囲内の距離である。
さらに好ましくは、前記ディスプレイ及び／またはユーザーインターフェイスの好適な曲率の度合い及び／または方向が設定されており、これにより、所定の距離にいるユーザーに対して、ディスプレイ及び／またはユーザーインターフェイスからユーザーの目の方向への光の反射が抑制される。
さらに好ましくは、前記ディスプレイ及び／またはユーザーインターフェイスの好適な曲率の度合い及び／または方向が設定されており、これにより、前記ディスプレイ及び／またはユーザーインターフェイスの前方に配置され、光の拡散を促進する構造的な層状体を用いて、光の拡散が実行される。
以下、好適な実施形態を用い、図面を参照して、本発明を詳細に説明する。
【図面の簡単な説明】
【０００９】
【図１】図１（ａ）は体外血液処理用の医療機器を構成する透析装置のハウジングの斜視図であり、当該装置は、外部において本体上に配置されている表示及び／または作動装置を備えている。図１（ｂ）は、第一の実施形態に係る表示及び／または作動装置であって、図１（ａ）の表示及び／または作動装置に対する変形例の斜視図である。
【図２】図２は体外血液処理用の医療機器を構成する透析装置のハウジングの斜視図であり、当該ハウジングは、本体の内部に配置されている、第二の実施形態に係る表示及び／または作動装置を備えている。
【００１０】
以下の図面の説明においては、同一の、または、類似の動作を行う要素は同一の参照符号で示されており、冗長を避けるため、同じ説明は行わない。
機能、配置、プロセス、動作フローについて、次の実施形態が少なくとも以前の実施形態と同一である場合には、相違点のみを説明するものとする。
【発明を実施するための形態】
【００１１】
図１（ａ）は透析装置のハウジングを示す斜視図である。
図１（ａ）に示すように、透析装置はハウジング１（以下、本体またはハウジングと呼ぶことがある）を備えている。ハウジング１の内部には、血液処理を実施するための多くの部品、例えば、電子制御ユニット、油圧システムの少なくとも一部、ポンプ、加熱装置、必要であれば、使用する溶液のためのタンクやバッグなどが相互作用により作動可能であるように、既知の方法で配置されている。これらの部品は本分野においては十分に知られているものであるので、以後、詳細な図示または記述は行わない。
ハウジング１は、例えば、少なくとも２個の側部プレート８と、後述するスライド式ドア２の少なくとも一部を構成している後壁３と、２個の側部プレート８を相互に隔置された状態で、かつ、相互に平行に、それらの上部において結合するフード９と、２個の側部プレート８をそれらの底部において相互に結合する底板６（例えば、透析装置のベースの一部）と、スライド式ドア２の少なくとも一部を構成している前壁１１と、を有している。
【００１２】
底板６には回転体７を取り付けることが可能である。
回転体７は底板６とともに移動式透析装置の内部搬送手段を構成する。
さらに、フード９と底板６とは２個の側部プレート８の上縁及び下縁に対して固定することも可能である。例えば、上縁及び下縁の全長の少なくとも一部において溶接することができる。
このようにして、２個の側部プレート８、フード９、底板６及び前板１１により、捩じれに対して耐性を有するハウジング１が構成される。開閉可能な構成要素を介してハウジング１の内部にアクセス可能である。
本実施形態においては、モニタを有するモニタシステムが連結用ベース１０上に搭載されており、連結用ベース１０の中央にはフード９が一体的に形成されている。
モニタシステムは、単に情報を表示するためのディスプレイ及び／またはユーザーインターフェイス１２を有するものとして構成されている。あるいは、モニタシステムは、少なくとも一つの情報表示部分と、透析装置を作動させるための多数の作動要素を備える少なくとも一つの作動部分（グラフィックユーザーインターフェイス）とを有するディスプレイ及び／またはユーザーインターフェイス１２として構成することも可能である（図示せず）。
この場合、モニタシステムの少なくとも一部はタッチに反応するタッチ反応型に構成することが好ましい。例えば、薄膜トランジスタ上に配置された抵抗型または容量型のタッチ反応型フィルムまたは層を用いることができる。
タッチ反応型の表示及び／または作動装置は公知であるので、詳細には説明しない。
【００１３】
本実施形態においては、ディスプレイ及び／またはユーザーインターフェイス１２の少なくとも一部は凹状に屈曲またはカーブして形成されている。すなわち、図１（ａ）に示すように、ディスプレイ及び／またはユーザーインターフェイス１２は、当該装置の前に立っているユーザーから離れる方向において、高さ方向、すなわち、鉛直方向に延びる空間軸に対して凹状に形成されている。
図１（ｂ）は、第一の実施形態に対して、特に、向きに関して変更を加えた表示及び／または作動装置を示す。
図１（ｂ）に示すモニタシステムは、空間軸が図１（ａ）とは異なる向きに変更されている。具体的には、図１（ｂ）に示すモニタシステムは、横方向、すなわち、水平方向に延びる空間軸に対して凹状に形成されている。
【００１４】
図示しないが、モニタシステムにさらに変更を加えることもできる。例えば、モニタシステムはそれぞれが別個にカーブしている複数のセクションを備えることも可能である。例えば、複数の凹状セクション及び／または複数の凸状セクションをモニタシステムのディスプレイ及び／またはユーザーインターフェイス１２の全域にわたって所定の配列、例えば、波形に配置することができる。
あるいは、これも図示しないが、モニタシステムを高さ方向と横方向の双方において所定の位置を始点とする凹状に形成することも可能である。所定の位置は、例えば、長方形のディスプレイ及び／またはユーザーインターフェイス１２の各角部であり、この場合には、各角部においてユーザーに向って窪んだ形状になり、残りの領域においては低くなっている形状となる。
【００１５】
図２は、体外血液処理用の医療機器を構成する透析装置のハウジングの斜視図であり、当該ハウジングは、本体の内部に配置されている、第二の実施形態に係る表示及び／または作動装置を備えている。
図２に示す第二の実施形態においては、ディスプレイ及び／またはユーザーインターフェイス１２を有するモニタはハウジング１の本体の上部には搭載されておらず、所定の位置において、ハウジング１の本体に内蔵され、かつ、フレーム手段または保持手段を介して、前板１１の背面に固定されている。
上記以外の点については、第二の実施形態においては、第一の実施形態の構造と同一とすることができる。
【００１６】
さらに、第一及び第二の実施形態においては、ディスプレイ及び／またはユーザーインターフェイス１２の凹状の度合い、形状及び向きは、ユーザーと、ディスプレイ及び／またはユーザーインターフェイス１２を有するモニタの表面との間の所定の距離に合わせることが可能である。このため、モニタのカーブした表面によって、光がユーザーの目に対してより少ない程度で反射し、むしろ、様々な方向に拡散するようにすることができ、コントラストを向上させることができる。
拡散効果を上げるため、好ましくは透明の、または、ほぼ非透明のカバー層、フィルターフィルムなどをモニタシステムの表面の前方に配置することも可能である。
光源をユーザーの背後に配置することにより、ユーザーを通過してモニタ表面に入射する光と、ユーザーの体により形成される影とによって、コントラストをより向上させることができる。
モニタのカーブした表面とともに、公知のＯＬＥＤまたはＡＭＯＬＥＤ技術を用いることにより、さらにコントラストを向上させることができる。
【００１７】
第一及び第二の実施形態によれば、固定された、または、内蔵されたモニタを有する装置に搭載されたカーブした表面を有するモニタシステムにより、種々の利点がもたらされる。この種の装置においては、光源に対してモニタを回転させる場合には、装置全体を回転させる必要があるため、モニタの回転は制限を受ける。
これに対して、凹状に形成された表面を有するモニタを用いることにより、モニタを回転させることは必要ではなくなる。これは、好ましくない光として、あるいは、妨害的な光として反射することになるモニタに入射する光は、反射や眩しさを減らし、さらに、ユーザーを妨害しないように拡散することになるためである。
前述の第一の実施形態において述べたように、モニタシステムはハウジング１上に取り付けられることが可能である。具体的には、モニタシステムはハウジング１に最初から取り付けられた状態で形成されてもよく、あるいは、既存のハウジング１に後から取り付けられてもよい。
第二の実施形態によれば、固定式モニタをハウジング１に直接的に内蔵させることができる。
さらに、第一及び第二の実施形態の少なくとも一部を組み合わせることも可能である。
例えば、（追加の、及び／または、外部取り付け式の）第二のモニタ、あるいは、副モニタを異なる位置に内蔵させることも可能であり、あるいは、ピポット式アームを用いてハウジング１に取り付けることも可能である。
【００１８】
ユーザーに対して凸状にカーブしているモニタシステムの表面によっても、上記と同様の効果及び利点を得ることが可能である。
以上、本体と、カーブした表面を有するディスプレイ及び／またはユーザーインターフェイス１２を備えた表示及び／または作動装置と、を備える医療機器を説明してきた。
この場合の医療機器は好ましくは体外血液処理用の装置であり、より好ましくは、体外血液処理を行う要素を収容可能な本体を構成するハウジング１を有する透析装置である。
ディスプレイ及び／またはユーザーインターフェイス１２は、少なくとも一つの空間軸に対して凹状または凸状にカーブするように形成されている。空間軸は鉛直方向に、または、水平方向に延びる空間軸であることが好ましい。
【００１９】
理解可能であるように、本発明は本明細書に記述された実施形態及びその変形例に限定されるものではなく、以下の特許請求の範囲により示される保護範囲に包含される。上記の実施形態、変形例及び均等物の少なくとも一部の組み合わせなど当業者が想到し得るものは全て本発明の範囲に含まれる。
【符号の説明】
【００２０】
１  ハウジング
２  スライド式ドア
３  後壁
６  底板
８  側部プレート
９  フード
１１  前板
１２  ディスプレイ及び／またはユーザーインターフェイス
【図１】
2017196403.tif 000003
【図２】
2017196403.tif 000004
【外国語明細書】
2017196403000001.pdf